(57)【要約】【課題】固定部への雨樋本体の連結作業を簡便に行うことができる雨樋を提供する。【解決手段】先端側に設ける筒状の雨樋本体２と、雨樋本体２を基端側の壁面５に取り付ける取付部材４とを備えた雨樋１において、取付部材４は、基端側に向いた弾性係止受部２３と、この弾性係止受部２３に連結され壁面５に取り付ける固定部６と、この固定部６に設けられ先端側に向いた弾性係止部１８とを備え、弾性係止部１８に弾性係止受部２３が雨樋本体２の中心軸２Ｓと交差する方向から嵌合する。これにより、壁面５に固定部６を取り付けた後、雨樋本体２をその中心軸２Ｓと交差する方向から固定部６に近付け、弾性係止部同士を嵌合することにより、固定部６に雨樋本体２を簡便に取り付けることができる。【選択図】図４
2019065592.tif 000002
【特許請求の範囲】
【請求項１】
先端側に設ける筒状の雨樋本体と、前記雨樋本体を基端側の取付箇所に取り付ける取付部材とを備えた雨樋において、
前記取付部材は、前記雨樋本体側に設けられ基端側に向いた雨樋本体側弾性係止部と、この雨樋本体側弾性係止部に連結され前記取付箇所に取り付ける固定部と、この固定部に設けられ先端側に向いた取付箇所側弾性係止部とを備え、
前記取付箇所側弾性係止部に前記雨樋本体側弾性係止部が前記雨樋本体の中心軸と交差する方向から嵌合することを特徴とする雨樋。
【請求項２】
前記雨樋本体には取付部が設けられ、この取付部に連結部材を連結し、この連結部材に前記雨樋本体側弾性係止部を設けたことを特徴とする請求項１記載の雨樋。
【請求項３】
前記連結部材が前記固定部より前記雨樋本体の長さ方向に長く形成されていることを特徴とする請求項２記載の雨樋。
【請求項４】
前記雨樋本体に前記連結部材を固定する螺子手段を備えることを特徴とする請求項２又は３記載の雨樋。
【請求項５】
前記取付箇所側弾性係止部の近傍にビスホールを設けたことを特徴とする請求項１〜４のいずれか１項に記載の雨樋。
【発明の詳細な説明】
【技術分野】
【０００１】
本発明は雨樋に関する。
【背景技術】
【０００２】
従来、この種のものとして、雨樋本体に支持部（取付部に相当）を一体に設け、壁面などの取付箇所に支持部材（固定部に相当）を取り付け、この支持部を一対の挟持部により挟んだ状態で複数のボルトにより締め付けて支持部材に取り付けるもの（例えば特許文献１）や、取付部をパイプ取付具の遊嵌部により外嵌した状態で複数のボルトにより固定し、壁面の固定具（固定部に相当）に複数のボルトにより前記パイプ取付具を連結するもの（例えば特許文献２）や、取付部を一対の挟持片により挟んだ状態で複数のボルトにより締め付けて固定部に連結するもの（例えば特許文献３）や、支持部（取付部に相当）を一対の把持片により挟んだ状態で複数のボルトにより締め付けて羽子板部材（固定部に相当）に連結するもの（例えば特許文献４）などが提案されている。
【先行技術文献】
【特許文献】
【０００３】
【特許文献１】特開２００７−２０５００７号公報
【特許文献２】特開２００８−３０８８２７号公報
【特許文献３】特開２００８−１６３６５０号公報
【特許文献４】特開２００９−１０２８１０号公報
【発明の開示】
【発明が解決しようとする課題】
【０００４】
上記特許文献１〜４では、壁面に間隔を置いて固定部を取り付けた後、固定部と雨樋本体の取付部を複数のボルトにより連結して壁面に雨樋本体を取り付けており、これらは高所での作業となるため、複数のボルトを用いた取付作業が煩雑となり、取付作業性に劣るという問題がある。
【０００５】
そこで、本発明では、上記の問題点を考慮して、固定部への雨樋本体の連結作業を簡便に行うことができる雨樋を提供することを目的とする。
【課題を解決するための手段】
【０００６】
請求項１の発明は、先端側に設ける筒状の雨樋本体と、前記雨樋本体を基端側の取付箇所に取り付ける取付部材とを備えた雨樋において、前記取付部材は、前記雨樋本体側に設けられ基端側に向いた雨樋本体側弾性係止部と、この雨樋本体側弾性係止部に連結され前記取付箇所に取り付ける固定部と、この固定部に設けられ先端側に向いた取付箇所側弾性係止部とを備え、前記取付箇所側弾性係止部に前記雨樋本体側弾性係止部が前記雨樋本体の中心軸と交差する方向から嵌合することを特徴とする。
【０００７】
請求項２の発明は、前記雨樋本体には取付部が設けられ、この取付部に連結部材を連結し、この連結部材に前記雨樋本体側弾性係止部を設けたことを特徴とする。
【０００８】
請求項３の発明は、前記連結部材が前記固定部より前記雨樋本体の長さ方向に長く形成されていることを特徴とする。
【０００９】
請求項４の発明は、前記雨樋本体に前記連結部材を固定する螺子手段を備えることを特徴とする。
【００１０】
請求項５の発明は、前記取付箇所側弾性係止部の近傍にビスホールを設けたことを特徴とする。
【発明の効果】
【００１１】
請求項１の構成によれば、取付箇所に固定部を取り付けた後、雨樋本体をその中心軸と交差する方向から固定部に近付け、弾性係止部同士を嵌合することにより、固定部に雨樋本体を取り付けることができる。
【００１２】
請求項２の構成によれば、取付部に連結部材を連結し、取付箇所に固定部を取り付けた後、雨樋本体をその中心軸と交差する方向から固定部に近付け、弾性係止部同士を嵌合することにより、固定部に雨樋本体を取り付けることができ、また、連結部材の形状を変えることにより異なる形状の取付部に対応することができる。
【００１３】
請求項３の構成によれば、連結部材の雨樋本体側弾性係止部が長尺に形成されているため、雨樋本体側弾性係止部に複数の固定部を連結することができ、また、雨樋本体を連結する際、固定部に対する連結部材の長さ方向の位置合わせが不要となる。
【００１４】
請求項４の構成によれば、雨樋本体に連結した連結部材を、螺子手段により雨樋本体に固定することができる。
【００１５】
請求項５の構成によれば、ビスホールにより固定部の弾性係止部側の強度を向上することができる。
【図面の簡単な説明】
【００１６】
【図１】本発明の実施例１を示す雨樋の平面図である。
【図２】同上、斜視図である。
【図３】同上、高さ固定手段回りの一部切欠き背面図である。
【図４】同上、雨樋の分解平面図である。
【図５】同上、雨樋と当て板の斜視図である。
【図６】同上、雨樋の側面図である。
【図７】同上、接続作業を説明する断面図である。
【図８】本発明の実施例２を示す雨樋の斜視図である。
【図９】同上、カバー体を取り付けた雨樋の斜視図である。
【図１０】同上、カバー体の正面図である。
【図１１】本発明の実施例３を示すカバー体の正面図である。
【図１２】本発明の実施例４を示す雨樋の分解平面図である。
【図１３】同上、雨樋の側面図である。
【発明を実施するための最良の形態】
【００１７】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な雨樋を採用することにより、従来にない雨樋が得られ、その雨樋について記述する。
【実施例１】
【００１８】
以下、本発明の雨樋を添付図面を参照して説明する。図１〜図７は、本発明の実施例１を示し、同図に示すように、雨樋１は、雨樋本体２の上下方向に沿って取付部たる取付レール３を設け、この取付レール３に取付部材４を連結し、この取付部材４を取付箇所たる建築物の壁面５に固定することにより、この壁面５と間隔をおいて前記雨樋本体２が該壁面５に固定される。尚、この例では前記雨樋本体２の断面形状は円形である。また、取付レール３，取付部材４及び後述する弾性係止部を一体に設けた雨樋本体２は、アルミニウム又はアルミニウム合金製が例示されるが、材質に係らず押出し成型機や曲げ成型機などによる押出し成型や曲げ加工などにより形成され、図に示す断面形状が長さ方向全長に連続して形成され、以下の実施例の取付部材４も断わりのない場合、同一断面形状が長さ方向に連続する。
【００１９】
図２などに示すように、雨樋本体２は、雨樋本体２の外面から突出し、外側に向かって間隔が開く左右対称の突片１１，１１を一体に備え、これら突片１１，１１の先端には、相互に近付くように内側に突出した先端縁部１２，１２が必要に応じて形成され、これら先端縁部１２，１２の先端は自由端であって、それら先端縁部１２，１２間の隙間により開口部１３が形成されている。そして、前記突片１１，１１は、雨樋本体２の直径方向と角度をなす。
【００２０】
この例では、前記取付部材４は、前記壁面５に固定される固定部６と、この固定部６と前記取付レール３とを連結する連結部材７とを備え、この連結部材７を雨樋本体２に固定した後、前記固定部６に前記連結部材７が連結される。そして、固定部６が取付箇所側部材であり、取付レール３と連結部材７が雨樋本体側部材である。
【００２１】
また、この例では、前記連結部材７の長さは前記取付レール３の長さと略等しく、一方、固定部６の長さは連結部材７の長さより短く、複数の固定部６が雨樋本体２の長さ方向に間隔を置いて壁面５に取り付けられ、一つの連結部材７に単数又は複数の固定部６が連結される。
【００２２】
前記固定部６は、前記壁面５に当接する板状の固定本体１４を備え、この固定本体１４の後面には、左右幅方向に山部と谷部とが交互に形成された凹凸部１４Ａが形成されている。この凹凸部１４Ａが壁面５に当接するため、固定状態で固定部６の左右方向のずれが防止される。前記固定本体１４には、長さ方向に間隔を置いて複数の透孔１５が穿設され、この透孔１５に、取付箇所への固定手段であるアンカーボルト１６を挿通し、このアンカーボルト１６を壁面５に埋設固定している。また、固定部６は、前記固定本体１４の左右両側から先端側（雨樋本体側）に突設した固定側板部（固定部６の側板部）１７，１７と、この固定側板部１７の先端に設けられた雨樋本体側弾性係止部たる弾性係止部１８とを備え、この弾性係止部１８は先端側内面に傾斜面１８Ａを設け、この傾斜面１８Ａの基端に左右方向の係止段部１８Ｂが設けられ、先端部１８Ｃは湾曲状に形成されている。
【００２３】
前記連結部材７は、左，右の連結側板部２１，２１と、前記固定部６側（基端側）の後板部２２と、前記後板部２２の左右から連結部材７の先端側（壁面側）に突出した弾性係止受部２３，２３とを一体に備え、これら弾性係止受部２３，２３は略一定厚さの板状の弾性片２４，２４を有し、それら弾性片２４，２４は斜め内向きで壁面５側に向かって突設され、その先端に係止部たる係止頭部２５，２５を有する。前記係止頭部２５の先端部２５Ａは湾曲状に形成され、係止頭部２５，２５の基端側に左右外向きの係止段部２５Ｂ，２５Ｂが設けられている。尚、前記弾性係止部１８が取付箇所側弾性係止部であり、前記弾性係止受部２３が雨樋本体側弾性係止部である。
【００２４】
前記左右の係止受部２３，２３が前記弾性係止部１８，１８に前後方向（近付く方向）から係止することにより前記固定部６に前記連結部材７が連結される。尚、前後方向は雨樋本体２の中心軸２Ｓと交差する方向である。具体的には、両者を近付けると、前記傾斜面１８Ａに湾曲状の先端部２５Ａが当接し、さらに、近付けると、左右の係止受部２３，２３が近付くように弾性変形した後、係止段部１８Ｂ，２５Ｂ同士が係止する。尚、この場合、左右の弾性係止部１８，１８を設けた固定側板部１７も弾性変形して開くように構成してもよい。そして、前記係止受部２３により、連結部材７を固定部６に連結する固定部側連結部を構成している。
【００２５】
前記係止段部１８Ｂ，２５Ｂ同士が係止した連結状態で、前記弾性係止部１８の先端が、前記係止受部２３の基端の段部２２Ｄに当接又は当接すると共に、固定側板部１７の外面と連結側板部２１の外面が略面一に連続する。このように前記弾性係止部１８の先端部１８Ｃが、前記係止受部２３の基端の段部２２Ｄに当接又は近接するから、それ以上、雨樋本体２を壁面５側に押し込むことができない。尚、段部２２Ｄは前記後板部２２の後面の左右により構成される。
【００２６】
また、左右の連結側板部２１，２１の外面の間隔は、雨樋本体２の左右幅である外径より狭い。尚、雨樋本体が方形の場合は、雨樋本体の左右幅が、左右の連結側板部２１，２１の外面の間隔より狭い。前記連結側板部２１の前端２１Ｔは、前記雨樋本体２の外面に当接又は近接し、この例では当接している。尚、当接する場合、前端２１Ｔは円形の雨樋本体２の外周形状に合わせて湾曲又は斜めに形成される。
【００２７】
また、前記後板部２２の前面には、前記取付レール３に連結する取付部側連結部２６が設けられている。この取付部側連結部２６は、前記左右の突片１１，１１を左右から挟む左右の挟持突片２７，２７と、前記左右の先端縁部１２，１２の内面側に係止する左右の係止片２８，２８とを一体に備え、取付レール３に対して取付部側連結部２６が長さ方向から挿入されることにより連結される。
【００２８】
さらに、前記後板部２２の幅方向中央に、雌螺子孔３１を穿設し、この雌螺子孔３１に螺子手段たる蝶螺子３２を螺合し、この蝶螺子３２の先端３２Ｓを雨樋本体２の外面に圧接することにより、雨樋本体２に連結部材７を固定することができる。尚、後板部２２に複数の雌螺子孔３１を穿設し、複数の蝶螺子３２を用いてもよい。また、この例では、雌螺子孔３１が取付部側連結部２６の一部にも形成されているため、蝶螺子３２の取付強度に優れる。
【００２９】
前記固定側板部１７，１７の内面の左右には、前記弾性係止部１８，１８に近接して基端側に、ビスホール３３，３３を設け、このビスホール３３は前後一対の湾曲状突片３４，３４により形成され、これらビス用の突片３４，３４の先端間に開口部が設けられている。そして、図１に示すように、前記係止頭部２５の係止段部２５Ｂに、前記弾性係止部１８の係止段部１８Ｂを係止した状態で、先端部２５Ａが一方のビス用突片３４の外面に当接すると共に、弾性係止部１８の先端が段部２２Ｄに当接する。或いは、当接ではなく、近接でもよい。これらの当接又は近接により、それ以上、雨樋本体２を壁面５側に押し込むことができない。
【００３０】
また、固定部６の固定側板部１７，１７の先端は自由端であるが、その固定側板部１７の先端側にビスホール３３を設けることにより、連結後、風などにより雨樋本体２を左右斜めにしようとする力などが加わっても、ビスホール３３，３３の箇所が対抗し、変形を防止することができ、固定側板部１７，１７の先端側の強度を確保することができる。
【００３１】
次に、上記構成につきその作用・効果を説明する。固定部６をアンカーボルト１６により壁面５に固定する。一方、固定部６に取り付ける前に、取付レール３の長さ方向一端部に取付部側連結部２６の長さ方向他端部を合わせ、雨樋本体２に対して連結部材７を相対的に長さ方向にスライドして取付レール３に取付部側連結部２６を嵌合する。このように長尺な取付レール３と取付部側連結部２６との連結作業を簡便に行うことができる。
【００３２】
この嵌合後に、蝶螺子３２により雨樋本体２に雨樋本体２に連結部材７を固定する。必要に応じて、地上で複数の雨樋本体２，２・・・を連結した後、連結部材７の係止受部２３，２３を壁面５に近付けるようにして前後方向から係止部１８，１８に嵌合する。この場合、連結部材７を固定部６に近付けるようにして平行移動し、係止受部２３，２３と係止部１８，１８とを嵌合し、固定側板部１７と連結側板部２１の外面が面一となる。この平行移動は雨樋本体２の中心軸２Ｓと交差方向の移動であり、このように嵌合作業を容易に行うことができる。
【００３３】
或いは、固定部６への取付と同時に、図７に示すように、雨樋本体２の径小な挿入部４３を下の雨樋本体２に接続してもよい。この場合は、予め、挿入部４８の長さ分以上だけ、連結部材７に対して雨樋本体２を上にずらしておき、下の雨樋本体２に上の雨樋本体２の挿入部４３を挿入しながら、固定部６に連結部材７を連結したり、或いは、その連結部材７を固定部６に取付けた後、上の雨樋本体２を下げて下の雨樋本体２の上部開口に上の雨樋本体２の挿入部４８を挿入接続する。尚、図７のように挿入部４８を形成する場合は、対応する部分の取付レール３を除去した後、挿入部４８をプレスなどにより縮径加工し、雨樋本体２と挿入部４８の間にはテーパー部が設けられる。いずれしても、固定部６への雨樋本体２の連結作業を、段発的な嵌合によりボルトなどを用いることなく、ワンタッチで極めって簡便に行うことができる。
【００３４】
また、図２及び図３に示すように、必要に応じて、固定部６の上端位置で弾性係止受部２３にビス３５を螺合し、このビス３５の頭部３５Ｔを弾性係止部１８の上縁に係止する。これにより、固定部６に対して雨樋本体２の下方へのズレを防止できる。尚、ビス３５の頭部３５Ｔは弾性係止部１８の上縁に当接又は近接する。そして、ビス３５が高さ固定手段である。また、ビス３５にはタッピングネジを用いることができる。図２では、両方の弾性片２４，２４にビス３５を螺合したが、一方の弾性片２４のみにビス３５を螺合してもよい。尚、ビス３５以外でも、弾性係止受部２３に孔を穿設し、この孔にピン（図示せず）を圧入などにより固定し、このピンを弾性係止部１８の上縁に係止してもよく、前記ビス３５もピン状部材である。
【００３５】
また、高さ固定手段の変形例として、当て板を用いることができる。具体的には、図５に示すように、固定部６と略同形の当て板３６を形成し、この当て板３６は前記ビスホール３３，３３に対応して、透孔３７，３７が穿設されている。そして、図７に示すように、前記当て板３６を取付部材４の下端と取付レール３の下端とに当接した状態で、当て板３６の透孔３７，３７にビス３８，３８を挿通し、これらビス３８，３８を前記ビスホール３３，３３に螺合することにより、取付部材４の下端に当て板３６を固定する。こうすることにより、当て板３６により取付レール３及び連結部材７が支持され、雨樋本体２の高さ位置が固定される。尚、図７に示すように、挿入部４３及びその上部には、取付レール３は設けられていない。
【００３６】
さらに、図５及び図６に示すように、雨樋本体２の長さ方向途中で、固定部６の上端位置又は／及び下端位置に対応して、連結部材７の一部に、長さ方向と交差方向の挿入溝３９を形成し、この挿入溝３９に前記当て板３６を挿入すると共に、前記ビス３８により固定部６の上端又は／及び下端に前記当て板３６を固定し、当て板３６の上面に取付レール３と連結部材７の少なくとも一部が当接可能であれば、当て板３６により支持可能である。尚、この例では、挿入溝３９は、弾性係止受部２３のみに形成されているが、取付レール３の全体と連結部材７の全体に形成してもよい。
【００３７】
従って、雨樋本体２の長さ方向途中で、取付部材４に対して固定された当て板３６に、雨樋本体２に固定した連結部材７の雨樋係止受部２３が支持される。尚、前記透孔３７は、前記ビス３８の径大頭部３８Ｔを収納する径大部を有し、ビス３８の径大頭部３８Ｔが前記径大部に収納されることにより、径大頭部３８Ｔが当て板３６の表面から突出することがない。この場合、前記ビス３８には皿ねじを用いることができる。尚、前記挿入溝３９の幅は当て板３６の厚さに対応して形成されている。また、挿入溝３９は、弾性係止受部２３のみに設けられていてもよく、このように挿入溝３９は雨樋本体側部材の一部を支持すればよい。
【００３８】
また、当て板３６を固定部６の上端に固定することにより、当て板３６は取付部材４の蓋となり、且つ、挿入溝３９に当て板３６を挿入することにより、当て板３６が高さ固定手段となる。尚、この場合、挿入溝３９の上縁が、弾性係止受部２３などの下端となる。
【００３９】
このように本実施例では、請求項１に対応して、先端側に設ける筒状の雨樋本体２と、雨樋本体２を基端側の取付箇所たる壁面５に取り付ける取付部材４とを備えた雨樋１において、取付部材４は、雨樋本体側に設けられ基端側に向いた雨樋本体側弾性係止部たる弾性係止受部２３と、この弾性係止受部２３に連結され壁面５に取り付ける固定部６と、この固定部６に設けられ先端側に向いた取付箇所側弾性係止部たる弾性係止部１８とを備え、弾性係止部１８に弾性係止受部２３が雨樋本体２の中心軸２Ｓと交差する方向から嵌合するから、壁面５に固定部６を取り付けた後、雨樋本体２をその中心軸２Ｓと交差する方向から固定部６に近付け、弾性係止部同士を嵌合することにより、固定部６に雨樋本体２を取り付けることができる。
【００４０】
このように本実施例では、請求項２に対応して、雨樋本体２には取付部たる取付レール３が設けられ、この取付レール３に連結部材７を連結し、この連結部材７に雨樋本体側弾性係止部たる弾性係止受部２３を設けたから、取付レール３に連結部材７を連結し、壁面５に固定部６を取り付けた後、雨樋本体２をその中心軸２Ｓと交差する方向から固定部６に近付け、弾性係止部同士を嵌合することにより、固定部６に雨樋本体２を取り付けることができる。また、、連結部材７の取付部側連結部２６の形状を変えることにより、異なる形状の取付部に対応することができる。
【００４１】
このように本実施例では、請求項３に対応して、連結部材７が固定部６より雨樋本体２の長さ方向に長く形成されているから、連結部材７の弾性係止受部２３が長尺に形成されているため、雨樋本体２側の弾性係止部１８に複数の固定部６を連結することができ、また、雨樋本体２を連結する際、固定部６に対する連結部材７の長さ方向の位置合わせが不要となる。
【００４２】
このように本実施例では、請求項４に対応して、雨樋本体２に連結部材７を固定する螺子手段たる蝶螺子３２を備えるから、雨樋本体２に連結した連結部材７を、蝶螺子３２により雨樋本体２に固定することができる。
【００４３】
このように本実施例では、請求項５に対応して、取付箇所側弾性係止部たる弾性係止部１８の近傍にビスホール３３を設けたから、ビスホール３３により固定部６の弾性係止部側の強度を向上することができる。
【００４４】
以下、実施例上の効果として、螺子手段が蝶螺子３２であるから、工具を用いることなく、簡便に連結部材７を雨樋本体２に固定することができる。また、高さ固定手段がピン状部材であるビス３５であるから、作業が容易である。さらに、高さ固定手段たる当て板３６により固定部６に対する雨樋本体２の下側へのずれを防止できると共に、その当て板３６が固定部６などの蓋体となる。また、固定部６に弾性係止部１８，１８を設けることにより、弾性係止受部２３，２３を設ける場合に比べて、固定部６の先端側の開口を大きくでき、アンカーボルト１６による作業が容易となる。さらに、雌螺子孔３１が取付部側連結部２６の一部にも形成されているため、蝶螺子３２の取付強度に優れる。
【実施例２】
【００４５】
図８〜図１０は本発明の実施例２を示し、上記実施例１と同一部分に同一符号を付し、その詳細な説明を省略して詳述する。この例では、連結部材７と高さ固定手段の変形例を示し、連結部材７の長さを固定部６の長さと略同一に形成し、壁面５に固定した固定部６に、同一高さ位置で連結部材７を連結する。この連結状態で固定部６と連結部材７の上縁及び下縁がそれぞれ同一高さとなる。
【００４６】
この例の高さ固定手段は、固定部６と弾性係止部１８，１８を覆う断面略方形のカバー体５１である。このカバー体５１は、左右に分割された分割カバー５２，５２を組み立ててなり、分割カバー５２は、外板部５３の端部からそれぞれ突設された分割板部５４，５４とを一体に備え、略コ字形をなす。一方の分割カバー５２の分割板部５４，５４の端部に、前記弾性係止受部２３を設け、他方の分割カバー５２の分割板部５４，５４の端部に、前記弾性係止部１８を設けている。また、係止受部２３の基端側には前記段部２２Ｄが形成されている。尚、カバー体５１の前後幅は、固定部６の固定本体１４の外面と取付レール３の先端縁部１２，１２の外面との間隔に対応し、雨樋本体２を壁面５に取り付けた後、固定部６及び連結部材７の一部を覆うように取り付け可能なものである。
【００４７】
また、前記弾性係止部１８に近接して前記分割板部５４，５４の内面には、ストッパ部たるストッパ片５５が突設され、このストッパ片５５は前記係止受部２３の先端に対応して設けられ、前記ストッパ片５５により、前後方向の連結時に、係止部１８の先端部１８Ｃが係止受部２３の基端の段部２２Ｄから外側に外れて先端側に移動することを防止している。また、ストッパ片５５は分割板部５４，５４の先端側の補強となる。
【００４８】
対向するストッパ片５５，５５の内端５５Ｎ，５５Ｎの間隔Ｋと対向する係止受部２３，２３の内端２３Ｎ，２３Ｎの間隔Ｋは、取付部材４の上下寸法に略等しか、それ以上である。
【００４９】
従って、取付部材４を左右から挟んで、係止部１８と係止受部２３とを嵌合して分割カバー５２，５２を組み立てると、カバー体５１が固定部６と連結部材７に外嵌する。これにより固定部６に対して雨樋本体２の上下位置が位置決めされる。
【００５０】
このように本実施例では、請求項１，２，４及び５に対応して、上記実施例１と同様な作用・効果を奏する。
【００５１】
以下、実施例上の効果として、連結部材７は固定部６の長さに対応しているから、連結部材７の使用量を削減することができる。また、固定部６に対して連結部材７を位置決めする高さ固定手段としてカバー体５１を備え、カバー体５１を構成する分割カバー５２，５２は嵌合構造を備えるから、弾性係止部１８と弾性係止受部２３との嵌合により簡便にカバー体５１を取り付けることができる。さらに、雨樋本体２への連結部材７の固定に蝶螺子３２を用いることにより、固定後、蝶螺子３２を緩めれば、連結部材７の位置調整を簡便に行うことができる。また、カバー体５１は取付部材４などの上下開口を塞ぐ蓋体となり、外観意匠性も向上する。
【実施例３】
【００５２】
図１１は本発明の実施例３を示し、上記各実施例と同一部分に同一符号を付し、その詳細な説明を省略して詳述する。この例では、カバー体５１が上下方向から嵌合し、対向する外板部５３，５３の内面の間隔Ｋが取付部材４の上下方向に略等しい。
【００５３】
従って、取付部材４を上下から挟んで、係止部１８と係止受部２３とを嵌合して分割カバー５２，５２を組み立てると、カバー体５１が固定部６と連結部材７に外嵌する。これにより固定部６に対して雨樋本体２の上下位置が位置決めされる。尚、カバー体５１は上下逆でもよい。
【００５４】
このように本実施例では、上記各実施例と同様の作用・効果を奏する。
【実施例４】
【００５５】
図１２〜図１３は本発明の実施例４を示し、上記各実施例と同一部分に同一符号を付し、その詳細な説明を省略して詳述する。この例では、雨樋本体２に雨樋本体側弾性係止部が一体に設けられている。
【００５６】
前記雨樋本体２は、雨樋本体２の外面から突出し、外側に向かって間隔が僅かに狭まる左右対称の雨樋本体側弾性係止部たる弾性係止受部６１，６１を一体に備え、これら弾性係止受部６１，６１は略一定厚さの板状の弾性片６２，６２を有し、それら弾性片６２，６２の先端に、係止部たる係止頭部６３，６３を有する。また、前記係止頭部６３の先端部６３Ａは円弧面に形成されている。さらに、弾性係止受部６１，６１は、雨樋本体２の略全長に設けられる。
【００５７】
また、この例では、係止頭部６３，６３の基端の左右外側の雨樋本体２の外面が係止段部６４，６４である。尚、この例の弾性係止受部６１と前記弾性係止受部２３は、同一構成である。そして、雨樋本体２の外面側が弾性係止受部６１の弾性片６２の基端である。
【００５８】
この例の前記取付部材４は、前記連結部材を用いることなく、前記固定部６から構成され、この固定部６の弾性係止部１８が前記雨樋本体２の前記弾性係止受部６１に嵌合する。
【００５９】
高さ固定手段としては、前記ビス３５などのピン状部材を用いることができ、前記弾性係止受部６１の弾性片６２にビス３５を螺合し、このビス３５が固定部６の上縁に係止することにより、固定部６に対して雨樋本体２が下方にずれることを防止できる。
【００６０】
また、他の高さ固定手段として、図１３に示すように、前記当て板３６を用いることができ、ビス３８により固定部６の下縁に固定した当て板３６が取付レール３Ａを支持することにより、固定部６に対して雨樋本体２が下方にずれることを防止できる。この場合、弾性係止受部６１に当て板３６を挿入する挿入溝３９を形成し、この挿入溝３９に端部を挿入した状態で当て板３６を固定部６に固定すればよい。
【００６１】
このように本実施例では、請求項１に対応して、取付部材４は、雨樋本体側に設けられ基端側に向いた雨樋本体側弾性係止部たる弾性係止受部６１と、この弾性係止受部６１に連結され壁面５に取り付ける固定部６と、この固定部６に設けられ先端側に向いた取付箇所側弾性係止部たる弾性係止部１８とを備え、弾性係止部１８に弾性係止受部６１が雨樋本体２の中心軸２Ｓと交差する方向から嵌合し、また、請求項４に対応して、取付箇所側弾性係止部たる弾性係止部１８の近傍にビスホール３３を設けたから、上記各実施例と同様な作用・効果を奏する。
【００６２】
以下、実施例上の効果として、雨樋本体２に弾性係止受部６１を一体形成し、この弾性係止受部６１に固定部６を直接連結するから、取付構造を簡略化し、安価で施工性に優れたものとなる。また、雨樋本体側弾性係止部たる弾性係止受部６１が固定部６に比べて雨樋本体２の長さ方向に長く形成されているから、雨樋本体２側の弾性係止部１８に複数の固定部６を連結することができ、さらに、雨樋本体２を連結する際、固定部６に対する雨樋本体２の長さ方向の位置合わせが不要となる。
【００６３】
以上、本発明の実施例について詳述したが、本発明は前記各実施形態に限定されるものではなく、本発明の要旨の範囲内で種々の変形実施が可能である。例えば、実施例では、固定部に弾性係止部を設け、連結部材に弾性係止受部を設けたが、逆に、固定部に実施例の弾性係止受部を設け、連結部材に実施例の弾性係止部を設けてもよく、取付箇所側弾性係止部と雨樋本体側弾性係止部は相互に嵌合して連結可能なものであれば、各種タイプのものを用いることができる。また、雨樋本体は断面円形に限らず、方形や多角形でもよい。さらに、当て板の固定手段として皿ねじを用いたが、当て板を取付部材の端面に接着などの他の固定方法により固定してもよい。また、取付箇所が下面の場合、横方向の雨樋本体の下が前（先端側）、上が後（基端側）となり、さらに、斜めの取付箇所に雨樋本体を取付けてもよい。さらに、実施例１〜３では、当て板は取付レールと連結部材の少なくとも一部に当接していればよい。また、各種の形状の取付部に対応可能である。
【符号の説明】
【００６４】
１  雨樋
２  雨樋本体
２Ｓ  中心軸
３  取付レール（取付部）
４  取付部材
５  壁面（取付箇所）
６  固定部
７  連結部材
１８  弾性係止部（取付箇所側弾性係止部）
２３  弾性係止受部（雨樋本体側弾性係止部）
３２  蝶螺子（螺子手段）
３５  ビス（高さ固定手段）
６１  弾性係止受部（雨樋本体側弾性係止部）
【図１】
2019065592.tif 000003
【図２】
2019065592.tif 000004
【図３】
2019065592.tif 000005
【図４】
2019065592.tif 000006
【図５】
2019065592.tif 000007
【図６】
2019065592.tif 000008
【図７】
2019065592.tif 000009
【図８】
2019065592.tif 000010
【図９】
2019065592.tif 000011
【図１０】
2019065592.tif 000012
【図１１】
2019065592.tif 000013
【図１２】
2019065592.tif 000014
【図１３】
2019065592.tif 000015